(57)【要約】    【課題】  ボーリングボールの回収作業において、正確性、連続性及び迅速性に優れ、構造を簡単にし、娯楽器具としての実用性を向上させたビリヤード式ボーリングゲーム器のボーリングボール回収装置を提供する。    【解決手段】  ビリヤードキューで打撃されたボーリングボール（３）がボーリングレーン（１）の後部側に立てられた多数のボーリングピン（７）を倒すと、前記ボーリングボール（３）が回収レール（１０１）により回収されるように構成されるビリヤード式ボーリングゲーム器において、コンベヤ（８）から離隔するように本体（５）の固定板（１０２）に固定され、回収傾斜板（１０３）の誘導傾斜面（１０３−２）及び誘導切欠部（１０３−１）により誘導されたボーリングボール（３）を、駆動軸（１０６）のボーリング駆動輪（１０７）を用いて、ボーリングボール誘導板（１０５）の内周面と回収本体（１０４）の内側面に沿って上昇させて前記回収レール（１０１）の先端側に載せるように構成される。【選択図】  図６
2005319227.tif 000002
【特許請求の範囲】
【請求項１】
ビリヤードキューで打撃されたボーリングボール（３）がボーリングレーン（１）の後部側に立てられた多数のボーリングピン（７）を倒すと、前記ボーリングボール（３）が回収レール（１０１）により回収されるように構成されるビリヤード式ボーリングゲーム器において、コンベヤ（８）から離隔するように本体（５）の固定板（１０２）に固定され、回収傾斜板（１０３）の誘導傾斜面（１０３−２）及び誘導切欠部（１０３−１）により誘導されたボーリングボール（３）を、駆動軸（１０６）のボーリング駆動輪（１０７）を用いて、ボーリングボール誘導板（１０５）の内周面と回収本体（１０４）の内側面に沿って上昇させて前記回収レール（１０１）の先端側に載せるように構成されることを特徴とするビリヤード式ボーリングゲーム器のボーリングボール回収装置。
【発明の詳細な説明】
【技術分野】
【０００１】
本発明はビリヤードゲームとボーリングゲームを組み合わせたビリヤード式ボーリングゲーム器に係り、より詳しくはビリヤードキューで小さいボーリングボールを打撃してボーリングピンを倒すビリヤード式ボーリングゲーム器において、使用されたボーリングボールを自由落下方式で回収するように構成されるビリヤード式ボーリングゲーム器のボーリングボール回収装置に関するものである。
【背景技術】
【０００２】
一般に、ビリヤード式ボーリングゲーム器は、ビリヤードキューでビリヤードボールのごとく小さく製作されたボーリングボールを打撃すると、ボーリングボールがボーリングのレーンに沿って転がり、ボーリングレーンの後部側に立てられた１０個のボーリングピンを倒し、倒れたボーリングピンの数によって点数を算定して、高い点数を獲得したゲーマが勝つゲーム装置である。
【０００３】
このように、ビリヤード式ボーリングゲーム器は、ボーリングボールをビリヤードキューで打撃するという点が、ボーリングボールを手で握って投げるボーリングゲームと異なるばかりで、ボーリングゲームとほぼ同一方式のゲーム構造をなしている。
【０００４】
したがって、従来のビリヤード式ボーリングゲーム器は、使用したボーリングボールを元の位置に回収するボーリングボール回収装置の構造がボーリングゲームで使用する方式をそのまま採用している。
【０００５】
しかし、従来のボーリングゲーム装置で採択しているボーリングボール回収装置の構造をビリヤード式ボーリングゲーム装置にそのまま適用する場合、その構造が非常に複雑であるだけでなく、ボーリングボールの回収において、その正確性、連続性、及び迅速性が低下し、その製作費用があまりかかって娯楽器具としての実用性が低下するなどの問題がある。
【発明の開示】
【発明が解決しようとする課題】
【０００６】
したがって、本発明はこのような従来技術の問題を改善するためになされたもので、固定板とボーリングボール誘導板間に誘導されるボーリングボールをボーリングボール誘導板に沿って上昇させた後、傾いた回収レールに沿って自由落下させる方法で回収するように構成して、ボーリングボールの回収作業において、正確性、連続性及び迅速性に優れており、その構造を簡単にし、娯楽器具としての実用性を向上させたビリヤード式ボーリングゲーム器のボーリングボール回収装置を提供することにその目的がある。
【課題を解決するための手段】
【０００７】
前記のような目的を達成するため、本発明は、ビリヤードキューで打撃されたボーリングボールがボーリングレーンの後部側に立てられた多数のボーリングピンを倒すと、前記ボーリングボールが回収レールにより回収されるように構成されるビリヤード式ボーリングゲーム器において、コンベヤから離隔するように本体の固定板に固定され、回収傾斜板の誘導傾斜面及び誘導切欠部により誘導されたボーリングボールを、駆動軸のボーリング駆動輪を用いて、ボーリングボール誘導板の内周面と回収本体の内側面に沿って上昇させて前記回収レールの先端側に載せるように構成されるビリヤード式ボーリングゲーム器のボーリングボール回収装置を提供する。
【発明の効果】
【０００８】
以上のような本発明は、ボーリングボールの回収作業において、正確性、連続性及び迅速性に優れており、その構造を簡単にし、娯楽器具としての実用性を向上させる。
【発明を実施するための最良の形態】
【０００９】
以下、添付図面に基づいて本発明の好ましい実施例を詳細に説明する。
【００１０】
図１ａ及び図１ｂは本発明を例示する斜視図及び側面図、図２は本発明のボーリングボール回収装置を例示する斜視図、図３及び図４は本発明のボーリングボール回収装置を例示する斜視図、図５は本発明のボーリングボール回収装置を例示する分解斜視図、図６は本発明のボーリングボール回収装置の作用状態を例示する側面図、図７は本発明のボーリングボール回収装置の誘導傾斜板を例示する断面図である。
【００１１】
図１ａ及び図１ｂに示すように、ビリヤードキューを用いてボーリングボール３を打撃すると、ボーリングボール３がボーリングレーン１に沿って転がり、ボーリングレーン１の後部側、つまり本体５内に配設された１０個のボーリングピンを打撃して倒すことになる。
【００１２】
ボーリングボール３は、図２に示すように、倒れたボーリングピン７とともにボーリングレーン１から回収され、さらに本発明のボーリングボール回収装置により回収レール１０１により誘導されて元の位置に回収される。
【００１３】
すなわち、本発明のボーリングボール回収装置は、図３ないし図５に示すように、本体５とボーリングピン回収装置６間に設けられ、本体５の固定板１０２の下部、つまりボーリングレーンの後部側に連結される回収傾斜板１０３の誘導傾斜面１０３−２及び誘導切欠部１０３−１に沿って自然に誘導されるボーリングボール３をボーリングボール誘導板１０５の内周面に沿って上昇させた後、傾いた回収レール１０１に沿って自由落下させる方法で回収するように構成される。
【００１４】
前記回収傾斜板１０３は、その下端の中央部に半円状の誘導切欠部１０３−１が形成され、ボーリングボールを前記誘導切欠部１０３−１に誘導するための誘導傾斜面１０３−２が斜めに形成される。
【００１５】
図７に示すように、固定板１０２の下端と回収傾斜板１０３の下端間の間隔は誘導切欠部１０３−１で最大となり、ボーリングピン７とは異なり、ボーリングボール３は間隔が最大となる誘導切欠部１０３−１のみを介して排出されるように構成される。
【００１６】
このように、回収傾斜板１０３により誘導されるボーリングボール３は回収本体１０４内に自然に誘導される。回収本体１０４は、コンベヤ８から離隔するように、固定板１０２により本体５の後部下側に固着され、回収本体１０４の中央部にはボーリングボール誘導板１０５が設けられ、回収本体１０４の一側に固定される駆動モータ１０８の駆動軸１０６は、半円状のボーリングボール誘導板１０５の内周面の中心線上に取り付けられる。
【００１７】
駆動軸１０６の端部にはゴム材のボーリングボール駆動輪１０７が設けられ、駆動モータ１０８により駆動軸１０６が駆動されると、ボーリングボール駆動輪１０７がボーリングボール誘導板１０５の下側に誘導されたボーリングボール３の外周面と接触することになる。
【００１８】
この際、ボーリングボール駆動輪１０７はボーリングボール３の外周面と摩擦してボーリングボールをボーリングボール誘導板１０５の内周面に沿って引き上げる。これにより、ボーリングボールは、ボーリングボール誘導板の内周面と回収本体１０４の内側面がなす誘導通路に沿って上昇して回収レール１０１の先端側に載せられる。
【００１９】
ここで、回収レール１０１の先端側に載せられたボーリングボール３は、回収レールの下向き傾斜により、回収本体１０４のボーリングボール排出口１０４−１を介して転がり、ボーリングレール１の前部側に移動して元の位置に回収される。
【００２０】
このように構成される本発明の作用を説明すると、まずビリヤードキューで、ボーリングレール１の前部側に載せられたボーリングボール３を打撃すると、ボーリングボールはボーリングレールに沿って転がり、ボーリングレールの後部側に立てられている１０個のボーリングピン７を倒す。
【００２１】
この際、ボーリングボール３と倒れたボーリングピン７は回収傾斜板１０３の傾斜面に沿って転がるが、ボーリングピン７は固定板１０２と回収傾斜板１０３間の空間を介して排出され、ボーリングボール回収部の下側に設けられたコンベヤ８により、ボーリングピン回収部の下側に移送されるが、ボーリングボール３は固定板１０２と回収傾斜板１０３間の空間を介してすぐ排出されなく、誘導傾斜面１０３−２により誘導された後、誘導切欠部１０３−１を介して排出される。
【００２２】
回収傾斜板１０３の誘導切欠部１０３−１を介して排出されるボーリングボール３は回収本体１０４内の下側に自然に誘導され、ボーリングボール駆動輪１０７の駆動により、ボーリングボール誘導板１０５の内周面に沿って上昇して回収レール１０１の先端側に載せられ。
【００２３】
回収レール１０１の先端側に載せられたボーリングボール３は、回収本体１０４の一側壁に設けられたボーリングボール排出口１０４−１を介して排出され、傾斜回収レール１０１に沿ってボーリングレーン１の前部側に移動される。
【産業上の利用可能性】
【００２４】
本発明は、ボーリングゲームとビリヤードゲームを組み合わせて、狭い空間でも楽しめるようになされたゲーム装置であって、特にボーリングボールの回収機能が優れているだけでなく、製造単価を著しく低めて、その実用性、娯楽性、大衆性などを一層高めることができる。
【図面の簡単な説明】
【００２５】
【図１ａ】本発明を例示する斜視図である。
【図１ｂ】本発明を例示する側面図である。
【図２】本発明のボーリングボール回収装置を例示する斜視図である。
【図３】本発明のボーリングボール回収装置を例示する斜視図である。
【図４】本発明のボーリングボール回収装置を例示する斜視図である。
【図５】本発明のボーリングボール回収装置を例示する分解斜視図である。
【図６】本発明のボーリングボール回収装置の作用状態を例示する側面図である。
【図７】本発明のボーリングボール回収装置の誘導傾斜板を例示する断面図である。
【符号の説明】
【００２６】
１    ボーリングレーン
３    ボーリングボール
５    本体
６    ボーリングピン回収装置
７    ボーリングピン
１０１    回収レール
１０２    固定板
１０３    回収傾斜板
１０３−１    誘導切欠部
１０３−２    誘導傾斜面
１０４    回収本体
１０５    ボーリングボール誘導板
１０６    駆動軸
１０７    ボーリングボール駆動輪
１０８    駆動モータ
【図１ａ】
2005319227.tif 000003
【図１ｂ】
2005319227.tif 000004
【図２】
2005319227.tif 000005
【図３】
2005319227.tif 000006
【図４】
2005319227.tif 000007
【図５】
2005319227.tif 000008
【図６】
2005319227.tif 000009
【図７】
2005319227.tif 000010